(57)【要約】【課題】連通する植物用容器と貯水用容器からなる植物用給水容器で、追加給水が行いやすい貯水用容器が大気圧に開放された構成を基本としつつ、貯水用容器からの水の蒸散、及びゴミやホコリの混入を防止でき、全体形状がシンプルで、用途が限定されにくい構成の植物用容器を開発する。【解決手段】植物用容器の上面が開放され、空気孔が設けられ貯水用容器の上面のみを被覆する蓋部を有し、植物用容器の上端部と蓋部の植物用容器に接触する部分にテーパが付されて密接できるようになっており、水の蒸散を防止でき且つゴミやホコリの混入を防止できる植物用給水容器を提供する。【選択図】図１
0003149554.tif 000002
【実用新案登録請求の範囲】
【請求項１】
水が連通するように構成された植物用容器と貯水用容器からなる植物用給水容器において、植物用容器の上面は開放状態であり、空気流通部が設けられ貯水用容器の上面のみを閉遮する蓋部を有しており、蓋部を完全に貯水用容器に固定させた状態で蓋部の上面に植物用容器の最上端部が露出され、植物用容器の上端部に上方に向かうに従い縮小されるテーパが付されており、蓋部の植物用容器に接触する部分が蓋部の他の部分より厚く構成されこの部分に植物用容器の上端部のテーパと傾斜を同一にするテーパが付されていて、この部分における水の蒸散を防止するとともに植物用容器を固定できるように構成されていることを特徴とする植物用給水容器。
【請求項２】
貯水用容器あるいは植物用容器あるいは植物用容器と貯水用容器の両方に水質浄化作用を有する物質を収容したことを特徴とする請求項１に記載の植物用給水容器。
【考案の詳細な説明】
【技術分野】
【０００１】
本考案は、水が連通するように構成された植物用容器と貯水用容器からなる植物用給水容器に関するものである。
【背景技術】
【０００２】
花瓶や花生けなどの、植物を生けて楽しむための容器においては、給水が大きな問題の一つとなる。すなわち、植物は造花でない限りは水を吸い上げて蒸散し、生命を保つので、常に容器内の水を一定以上に保持する必要がある。世話をする人間が常に居る場合は良いが、家庭などで家族旅行で長期間家を空けたり、あるいは事業所などでは年末年始やお盆休みの長期休暇で人員が居なくなると、給水が行われなくなった植物は枯れてしまう。さらには、世話をする人が給水を忘れていたりしても同様のことが起こる。
【０００３】
このような状況に陥ることを避けるために、植物が生けられている容器に自動的に給水するための様々な方法が考えられてきた。中には、ポンプ等の動力源を必要とするものもあるが、動力を要しないものに限っても、各種の発明や考案がなされてきた。
【０００４】
多くの発明・考案は、植物が生けられている植物用容器に加えて貯水用容器を別に設け、両容器を連通させて、貯水用容器から常時給水が行われるように構成したものである。貯水用容器の構成には大きく分けて二通りあって、下記特許文献１に記載の発明のように貯水用容器が開放状態に構成されていて、貯水用容器に蓄えられた水が大気圧下に晒されるタイプのものと、下記特許文献２、３に記載の発明のように、貯水用容器が閉塞状態に構成されていて、貯水用容器に蓄えられた水が大気圧下に晒されないタイプである。
【０００５】
下記特許文献１に記載の「氷冷花瓶セット及び氷冷用花瓶」においては、貯水用容器に蓄えられるのは氷であるが、氷は溶ければ水になるので、結局は、貯水用容器が開放状態に構成されている例であるとみなされる。このように、貯水用容器が開放されていると、貯水用容器にも大気圧がかかるので、貯水用容器の水位は植物が生けられている植物用容器の水位と同一となる。
【０００６】
次に、下記特許文献２の「貯水タンク付水盤花器」と下記特許文献３の「自動給水機能を持つ花瓶」においては、貯水用容器が大気圧から切り離されている構成上、植物用容器の水位は、貯水用容器との連通部分の最上端と略同一となる。ただし、貯水用容器の水位が連通部分の最上端より下がると、植物用容器の水位と貯水用容器の水位は同一となり、さらに貯水用容器の水位が連通部分の最下端より下がると（特許文献３の場合）、貯水用容器の水は植物用容器に供給されなくなる。
【０００７】
特許文献１のような貯水用容器が開放された構成においては、その短所として、開放面からの水の蒸散、及び同じく開放面からのゴミやホコリの混入が挙げられる。これに対し、長所としては、貯水用容器に対する追加給水が開放面から簡単に行えるという追加給水のしやすさが挙げられる。また、両容器の連通部分を下方に設けても、植物用容器の水位が下がることなく、植物用容器の水位は常に貯水用容器と等しくなるという点も長所である。
【０００８】
これに対し特許文献２、３のような貯水用容器が閉塞された構成においては、貯水用容器からの水の蒸散がなく、またゴミやホコリの混入もないという点が長所となるが、貯水用容器への追加給水が行いにくいという点と、両容器の連通部分の位置により、植物用容器の水位が限定されるという点が短所となる。なお、特許文献２の花器は、貯水用容器の形状が特殊であるので、用途が限定されるおそれもある。
【先行技術文献】
【特許文献】
【０００９】
【特許文献１】特開２０００−５００９号公報
【特許文献２】特開２０００−２１７４３２号公報
【特許文献２】特開２００４−６５２２２号公報
【考案の概要】
【考案が解決しようとする課題】
【００１０】
本考案の解決しようとする課題は以下のとおりである。
＜課題１＞
水が連通するように構成された植物用容器と貯水用容器からなり貯水用容器に収容された水が植物用容器に給水される植物用給水容器において、追加給水が行いやすく植物用容器の水位が連通部分の位置に限定されない構成、すなわち、貯水用容器が大気圧に開放された構成を基本としつつ、貯水用容器からの水の蒸散、及びゴミやホコリの混入を防止できる構成の植物用給水容器を開発する。
＜課題２＞
課題１を満足し、且つ全体形状がシンプルで、用途が限定されにくい形と構成を有する植物用給水容器を開発する。
【課題を解決するための手段】
【００１１】
本考案は、上記課題を解決するためになされたものであり、下記の解決手段を提供するものである。
＜解決手段１＞
水が連通するように構成された植物用容器と貯水用容器からなる植物用給水容器において、植物用容器の上面は開放状態であり、空気流通部が設けられ貯水用容器の上面のみを閉遮する蓋部を有しており、蓋部を完全に貯水用容器に固定させた状態で蓋部の上面に植物用容器の最上端部が露出され、植物用容器の上端部に上方に向かうに従い縮小されるテーパが付されており、蓋部の植物用容器に接触する部分が蓋部の他の部分より厚く構成されこの部分に植物用容器の上端部のテーパと傾斜を同一にするテーパが付されていて、この部分における水の蒸散を防止するとともに植物用容器を固定できるように構成されていることを特徴とする植物用給水容器。
＜解決手段２＞
貯水用容器あるいは植物用容器あるいは植物用容器と貯水用容器の両方に水質浄化作用を有する物質を収容したことを特徴とする解決手段１に記載の植物用給水容器。
【考案の効果】
【００１２】
本考案の解決手段１の考案によれば、植物用容器の上面は開放状態であり、空気流通部が設けられ貯水用容器の上面のみを閉遮する蓋部を有しているので、貯水用容器が大気圧に開放された構成を基本としつつ、貯水用容器からの水の蒸散及びゴミやホコリの混入が防止される。また、植物用容器の水位は、連通部分の位置に係らず常に貯水用容器の水位と同一となる。さらに、追加給水に関しても、蓋部を外せば簡単に貯水用容器に直接追加給水できるので、非常に楽である。
【００１３】
さらに本考案の解決手段１の考案によれば、蓋部を完全に貯水用容器に固定させた状態で蓋部の上面に植物用容器の最上端部が露出されているので、貯水用容器の上面に蓋をしたままの状態で植物の交換が可能であり、便利である。またさらに、蓋部を取り去れば、植物用容器のみならず貯水用容器にも植物を生けることが可能である。あるいは、植物用容器には植物を生けず、貯水用容器のみに植物を生ける等、用い方のヴァリエーションが豊富である。
【００１４】
さらに本考案の解決手段１の考案によれば、植物用容器の上端部に上方に向かうに従い縮小されるテーパが付されており、蓋部の植物用容器に接触する部分に植物用容器の上端部のテーパと傾斜を同一にするテーパが付されているので、植物用容器の上端部のテーパ面と蓋部のテーパ面が密接状態となり、さらに貯水用容器からの水の蒸散防止効果及びゴミやホコリの混入防止効果が促進される。また、蓋部の植物用容器に接触する部分が蓋部の他の部分より厚く構成されているので、水の蒸散防止効果及びゴミやホコリの混入防止効果はさらに促進され、加えて蓋部のテーパ面が植物用容器の上端部のテーパ面を押圧することにより、植物用容器の位置が固定されるという効果も奏するものである。
【００１５】
本考案の解決手段２の考案によれば、貯水用容器あるいは植物用容器あるいは植物用容器と貯水用容器の両方に水質浄化作用を有する物質を収容したことを特徴とするので、該物質の水質浄化作用により、植物の鮮度がさらに長く保持される。水質浄化作用を有する物質としては、竹炭や光触媒、多孔質セラミック、酵素やバクテリアを利用したものなど、様々な種類の物質が使用可能である。
【図面の簡単な説明】
【００１６】
【図１】本考案の植物用給水容器の縦断面図である。（実施例１）
【図２】本考案の植物用給水容器の一部を切欠した外観斜視図である。（実施例１）
【図３】（ａ）図１の要部の拡大図である。（ｂ）図１の別の要部の拡大図である。
【考案を実施するための形態】
【００１７】
以下に、本考案を実施するための形態の代表的な例の一つを実施例１として記載する。ただし、実施例１はあくまで代表的な例の一つであって、本考案は実施例１に限定されるものでないことは当然のことである。
【実施例１】
【００１８】
本考案の実施例１の植物用給水容器Ａは、図１、図２に見るように植物用容器１と貯水用容器２と蓋部３から構成されている。実施例１にては、植物用容器１、貯水用容器２、蓋部３共に合成樹脂製としたが、材料による限定を受けないのは当然のことであって、金属製、陶器製、竹製等、様々な材質とその組み合わせによって構成することが考えられる。ただし、蓋部３のみは、蒸散防止とゴミやホコリの混入防止という目的を考えれば、ある程度可塑性を有する合成樹脂製が望ましいが、パッキン等を補助的に用いれば、他の材質でも全く構わない。
【００１９】
植物用容器１は、細長い円筒形状で、本体１１は側面１２と底面１３が一体として構成され、上面１４は開放状態である。側面１２は上端部１２ａを除き、上部も下部も同一直径に構成されており、上端部１２ａにおいては、上部に向かうに従い縮径するテーパが施され、テーパ面１２ｃ（図３ａ参照）が形成されている。また、底面１３は円盤状で中央部分がやや上に凸の状態に構成され、中心には連通孔１３ａが穿設されている。
【００２０】
貯水用容器２は、植物用容器１より大きな直径を有する円筒形状で、本体２１は側面２２と底面２３が一体として構成され、上面２４は開放状態である。側面２２は上部も下部も同一直径に構成されており、図３ｂに見るように最上端部の外側に凸部２２ａが形成されている。また、底面２３は平坦な円盤状である（図１参照）。
【００２１】
蓋部３は、図１、図２に見るように、円盤状の本体３１の中央に円孔３３が穿設されており、本体３１の外周には本体３１と一体にフランジ３２が下方向に周設されている。円孔３３の直径は植物用容器１の上端部１２ａが嵌入されるサイズであり、円孔３３の内周部分には、図３ａに見るように、植物用容器１の上端部１２ａのテーパ面１２ｃに密接する角度のテーパが施されたテーパ面３１ａが形成されている。また、円孔３３の内周部分の下端部には凸部３１ｂが形成されて本体３１の他の部分より厚く構成され、その分だけテーパ面３１ａが下方に延伸された状態となっている。
【００２２】
また、本体３１には空気流通部である小さな空気孔３１ｃが穿設されている（図１、図２参照）。実施例１にては、空気孔３１ｃによって貯水用容器２の空間Ｓ２は大気圧下に開放状態とされるが、空気流通部は空気孔３１ｃには限定されず、例えば円孔３３の内周部の一部に小さな溝（図示せず）を刻切することによって設けても良い。ともかく、空間Ｓ２が大気圧下に開放状態とされる構成であれば、空気流通部の構成や場所については限定されないのは当然のことである。
【００２３】
蓋部３の円孔３３が植物用容器１の上端部１２ａに嵌着されることにより、植物用容器１の位置固定が行われるが、テーパ面３１ａがテーパ面１２ｃを押圧することによって、この固定状態はさらに確実なものとされる。また、凸部３１ｂによりこの部分が本体３１の他の部分より厚く構成され、その分だけテーパ面３１ａが下方に延伸された状態となっているので、植物用容器１の位置固定はさらに確実に行われ、貯水用容器２からの水の蒸散防止効果及びゴミやホコリの混入防止効果もさらに高められる。
【００２４】
植物用給水容器Ａは、図１、図２に見るように、貯水用容器２の中央に植物用容器１が配設された状態にて貯水用容器２の上面２４が蓋部３にて閉遮されている。蓋部３の中央に穿設された円孔３３に植物用容器１の上端部１２ａが嵌入された状態であり、図３ａに見るように、円孔３３のテーパ面３１ａと上端部１２ａのテーパ面１２ｃが密接された状態となっている。また、蓋部３の外周部分においては、図３ｂに見るように、蓋部３のフランジ３２の内周部分に刻切された凹部３２ａに貯水用容器２の側面２２の上端部外周に形成された凸部２２ａが嵌入された状態となっている。
【００２５】
したがって、テーパ面３１ａとテーパ面１２ｃの密接状態、及び凸部２２ａと凹部３２ａの嵌入状態により、ある程度の気密状態を形成しているが、空気流通部である空気孔３１ｃによって貯水用容器２は外気と連通状態にある。したがって、貯水用容器２に収容された水Ｗ２の水面Ｗ２ａには大気圧が働く状態となっている。
【００２６】
図１に見るように、植物用容器１の底面１３の外周部分は貯水用容器２の底面２３の上面に当接しているが、底面１３は上に凸となっているので、中央に穿設された連通孔１３ａは底面２３の上面には当接していない。連通孔１３ａの下部の空間Ｓ３は植物用容器１の底面１３の外周部分により貯水用容器２の空間Ｓ２と隔離されてはいるが、水密状態にはなっていないので、実際には空間Ｓ３は貯水用容器２の空間Ｓ２を満たす水Ｗ２に満たされている。なお、この部分での通水をより円滑なものとするためには植物用容器１の底面１３の底面２３に当接している部分に一部切欠部分（図示せず）を設けても良い。
【００２７】
空間Ｓ３は連通孔１３ａによって植物用容器１の空間Ｓ１と連通しているので、空間Ｓ１を満たす水Ｗ１は結局連通孔１３ａを経由して貯水用容器２の空間Ｓ２を満たす水Ｗ２と連通している。また、植物用容器１の上面１４は開放状態であるので、水Ｗ１の水面Ｗ１ａには常に大気圧が働いている。以上の構成により、水Ｗ２の水面Ｗ２ａと水Ｗ１の水面Ｗ１ａは常に同一のレベルを保持している。
【００２８】
したがって、植物用容器１に収容された植物Ｇが植物用容器１内の水Ｗ１を吸い上げて大気中に蒸散させることによって植物用容器１内の水Ｗ１は減少し、水面Ｗ１ａの水位は低下するが、連通孔１３ａを通じて貯水用容器２内の水Ｗ２が給水されるので、水面Ｗ１ａの水位の低下は顕著にはならず、水面Ｗ１ａの水位と水面Ｗ２ａの水位は常に連動した状態で少しずつ低下する。
【００２９】
水面Ｗ１ａの水位と水面Ｗ２ａの水位がある程度低下した段階で、蓋部３を外して持ち上げ、貯水用容器２に直接給水を行う。これにより、連通孔１３ａの作用で水面Ｗ１ａの水位と水面Ｗ２ａの水位は同一のレベルを保持して上昇する。水面Ｗ１ａの水位と水面Ｗ２ａの水位が望みのレベルに達したところで給水を終え、再び図１に示す状態に蓋部３を嵌着させる。
【００３０】
４は、貯水用容器２内に収容された竹炭である。竹炭４は、水質の浄化作用を有するので、竹炭４を貯水用容器２内に収容しておくことにより水Ｗ１，Ｗ２は共に浄化され、植物Ｇは長く鮮度を保持することができる。なお、竹炭４に変えて、水質浄化作用を有する他の物質、例えば光触媒、多孔質セラミック、酵素やバクテリアを利用したものなどを用いるのは自由である。また、図１、図２にては、竹炭が棒状態で用いられているが、小片状態に砕いて入れたり、あるいは細片状態として専用容器に収容して入れる等、どのような状態で用いてもかまわない。
【００３１】
実施例１の植物用給水容器Ａとして、容量が２ｌのものを試作して略満水状態とし、植物用容器１に菊を主体とする仏花を生けて保存状態をテストしたところ、冬季で２０日前後、夏季で２週間前後、追加給水をすることなく鮮度のある状態を保持可能であった。なお、貯水用容器２内には竹炭４を収納した状態にてテストを行った。
【産業上の利用可能性】
【００３２】
本考案の植物用給水容器は、構成がシンプルで形状も簡単な円筒形状であるから、置かれる場所が限定されることなく、幅広い用途に用いることが可能である。中でも、複雑な形状がそぐわない仏前や神前の花生け用容器としては最適である。また、追加給水が簡単であるので、この点においても応用範囲が広い。
【符号の説明】
【００３３】
１      植物用容器
１１    本体
１２    側面
１２ａ  上端部
１２ｂ  最上端部
１２ｃ  テーパ面
１３    底面
１３ａ  連通孔
１４    上面
２      貯水用容器
２１    本体
２２    側面
２２ａ  凸部
２３    底面
２４    上面
３      蓋部
３１    本体
３１ａ  テーパ面
３１ｂ  凸部
３２    フランジ
３２ａ  凹部
３３    円孔
４      竹炭
Ａ      植物用給水容器
Ｇ      植物
Ｓ１    空間
Ｓ２    空間
Ｓ３    空間
Ｗ１    水
Ｗ１ａ  水面
Ｗ２    水
Ｗ２ａ  水面
【図１】
0003149554.tif 000003
【図２】
0003149554.tif 000004
【図３】
0003149554.tif 000005